(57)【要約】      （修正有）【課題】  風呂場などで吊下げて、シャンプー等の液体（流体）の使用量（流出量）を一定の量（好みの量）にすることを容易かつ確実に行える吊下げ式定量注出パウチの提供。【解決手段】  吊下げ式定量注出パウチ１は、流体の充填空間２ａを有する本体部２と、この本体部２の下端部に充填空間２ａに連通した注出用空間３ａを有する流体の注出部３と、本体部２の上端部に吊下げ用取付け部４を形成している。また、注出部３には、充填空間２ａと注出用空間３ａとの境界部分に流入制限部１１を設け、充填空間２ａ内の流体に圧力を掛けて外部へ送り出すポンプ部５と、圧力を掛けられた流体のみを外部へ通過させる自己閉鎖性流出部６とを設けている。そして、充填空間２ａ内の流体を注出部３に設けたポンプ部５および自己閉鎖性流出部６によって圧力を掛けて外部へ送り出すので、ポンプ部５による圧力の掛け方を調節して一定量の流体を外部へ流出させることができる。【選択図】  図１
2006056588.tif 000002
【特許請求の範囲】
【請求項１】
表面側および裏面側となる合成樹脂フィルムの周辺を溶着して袋状にすることで、流体の充填空間を有する本体部と、この本体部の下端部に前記充填空間に連通した注出用空間を有する前記流体の注出部とを一体形成していると共に、前記本体部の上端部に吊下げ用取付け部を形成しており、
前記注出部には、前記本体部の充填空間内の流体に圧力を掛けて外部へ送り出すポンプ部と、圧力を掛けられた流体のみを外部へ通過させる自己閉鎖性流出部とを形成しており、
前記ポンプ部は、前記本体部の充填空間と前記注出部の注出用空間との境界部分に流入制限部を設け、前記充填空間内の流体の、前記注出用空間内への流入を制限して、前記注出用空間の容量を可変できるようにすることで形成しており、前記注出部の外面を押圧した時に、前記注出用空間に入り込んでいた流体を圧迫して前記自己閉鎖性流出部へ送ると共に、前記本体部の充填空間内の流体が前記注出用空間に入り込むように構成していることを特徴とする吊下げ式定量注出パウチ。
【請求項２】
前記流入制限部は、外周面を押圧することで内部空間の容量を可変できるように袋状にして、前記注出部の注出用空間内に収納していると共に、前記本体部の充填空間と前記注出部の注出用空間との境界部分に位置する前記袋状の低壁部分に、前記内部空間に入り込んだ流体が前記本体部の充填空間内へ逆流しないように逆止弁部を形成している弾性体で構成しており、
前記ポンプ部は、前記注出部の注出用空間内に収納した弾性体で形成しており、前記弾性体の外周面を押圧した時に、前記弾性体の内部空間に入り込んでいた流体を圧迫して前記注出部のへ送ると共に、前記本体部の充填空間内の流体が前記弾性体の内部空間に入り込むように構成していることを特徴とする請求項１記載の吊下げ式定量注出パウチ。
【請求項３】
前記自己閉鎖性流出部は、前記合成樹脂フィルムの周辺を溶着して袋状にする時に、前記注出部の注出用空間を外部へ連通させるように非溶着部として形成した流出路と、この流出路および前記注出用空間の境界部分に前記注出用空間側に湾曲して略弓状に形成した屈曲線に沿って折り曲げた屈曲部とで形成しており、圧力を掛けられた流体のみが、前記屈曲部を押しのけて前記流出路から外部へ流出するように構成していることを特徴とする請求項１記載の吊下げ式定量注出パウチ。
【発明の詳細な説明】
【技術分野】
【０００１】
この発明は、例えば、シャンプー、リンス、ボディーソープ等の液体の容器として、風呂場などで吊下げて使用する吊下げ式定量注出パウチに関するものである。
【背景技術】
【０００２】
シャンプー、リンス、ボディーソープ等の液体の容器に用いるパウチ（袋体）としては、例えば、常時使用する容器（プラスチック製のボトル等）への詰替え用として用いるものが一般に知られているが、近年では、自己閉鎖性とした流出路付きの袋に機能を絞り、詰替え用としてではなく、パウチを風呂場などでそのまま吊下げて使用するものが創案されてきている。（例えば、「流体包装袋」特開２００２−１９３２８２号公報、「流体容器のノズル及びそれを備えた流体容器」特開２００１−１９２０４５号公報参照）
これらの吊下げ式のパウチは、上端部に吊り部が設けられていると共に、下端部に注出部が設けられており、その注出部には、容器内部の流体（シャンプー等の液体）を圧迫した場合に流出し、圧迫しない限り流出しないようにできる自己閉鎖性流出部を設けている。
そして、これらの吊下げ式のパウチによれば、例えば、風呂場などでシャンプー等の液体（流体）を使用するときには、パウチの外面（定量部やノズル部根元など）を押圧し、その部分の液体を圧迫することで、定量の液体を自己閉鎖性流出部を設けた注出部から流出させて使用することになる。
【特許文献１】特開２００２−１９３２８２号公報
【特許文献２】特開２００１−１９２０４５号公報
【発明の開示】
【発明が解決しようとする課題】
【０００３】
前述した従来の吊下げ式のパウチ（袋体）は、吊下げて用いると共に、パウチ内部の液体を注出（流出）させるためにパウチ内部の液体（流体）を圧迫する必要があることから、パウチの外面（定量部やノズル部根元など）を押圧して使用することになる。
そのため、例えば、風呂場でシャワーを浴びながら使用する場合などには、パウチの外面の押圧時にパウチが折れ曲がってしまうことや、パウチを押圧しても流体圧が自己閉鎖性流出部を設けた注出部に向けて効率よく伝わらないことがあるなど、取り扱い性が悪いものであった。
従って、この従来の吊下げ式のパウチは、内容物である液体（流体）の注出部からの出難さが起こるものであると共に、自己閉鎖性流出部を設けた注出部から流体を流出させるのに非常に力が必要であったり、或いは、力を入れすぎると必要以上に流体が飛び出すというように、注出部からの流出量が不安定で、シャンプー等の液体（流体）の使用量を一定量（好みの量）にすることが困難であるという問題が発生した。
なお、定量部やノズル部根元を押圧してその部分の液体を圧迫することで、一定量の液体を注出部から流出させることもできるが、定量部からの流出がスムーズに行えないと共に、流出量も少ないなどの問題があった。
このように、前述した従来の吊下げ式のパウチは、風呂場などでシャンプー等の液体（流体）を気楽に使用する容器としては非常に不便なものであり、実用性のないものであった。
なお、自己閉鎖性流出部を設けた注出部からの流出量を安定したものにすべく、注出部の構成を内容物（流体）が通過し易いものにして、流出が容易に行えるようにすると、内容物（流体）の自重程度の圧力で、内容物（流体）が注出部を通過して流出してしまうことになる。
この発明は前述した事情に鑑みて創案されたもので、その目的は、例えば、風呂場などで吊下げて、シャンプー等の容器として使用する場合に、シャンプー等の液体（流体）の使用量（流出量）を一定の量（好みの量）にすることを容易かつ確実に行える吊下げ式定量注出パウチを提供することにある。
【課題を解決するための手段】
【０００４】
この発明の吊下げ式定量注出パウチ（請求項１の発明）では、表面側および裏面側となる合成樹脂フィルムの周辺を溶着して袋状にすることで、流体の充填空間を有する本体部と、この本体部の下端部に充填空間に連通した空間を有する流体の注出部とを一体形成していると共に、本体部の上端部に吊下げ用取付け部を形成している。また、注出部には、本体部の充填空間内の流体に圧力を掛けて外部へ送り出すポンプ部と、圧力を掛けられた流体のみを外部へ通過させる自己閉鎖性流出部とを形成している。
そして、ポンプ部は、本体部の充填空間と前記注出部の注出用空間との境界部分に流入制限部を設け、充填空間内の流体の注出用空間内への流入を制限して、注出用空間の容量を可変できるようにすることで形成しており、注出部の外面を押圧した時に、注出用空間に入り込んでいた流体を圧迫して自己閉鎖性流出部へ送ると共に、本体部の充填空間内の流体が注出用空間に入り込むように構成している。
このようなこの発明の吊下げ式定量注出パウチによれば、袋状とした本体部の充填空間内の流体を、注出部に流入制限部を設けて形成したポンプ部により、圧力を掛けて外部へ送り出すので、流体を安定した状態でスムーズに外部へ流出させることができると共に、例えば、ポンプ部による圧力の掛け方を調節することによって、一定量の流体を外部へ流出させることができる。
なお、ポンプ部は、注出部の外面を押圧した時に、その注出用空間に入り込んでいた流体を圧迫して流出路へ送ると共に、注出部の外面の押圧を緩めると、注出部の「注出用空間の変化した容量分」という「一定量」である本体部の充填空間内の流体が、注出部の注出用空間に入り込むように構成している。
そのため、このポンプ部によれば、本体部下端部の注出部の外面を押圧する（注出部を軽く摘んで押圧する）だけで、注出部の注出用空間の容量だけ、本体部の充填空間内の流体に圧力の掛けることができる。即ち、止まるところまで押すという押し方を一定にすることにより、「注出用空間の押された容量分」という「一定量」の流体を注出部から外部へ流出させることができる。
即ち、この発明のように、流入制限部を設けることで注出部に形成したポンプ部によって、本体部の充填空間内の流体に圧力の掛けることにより、前述した従来のパウチのように、パウチ本体（袋体）を握ったり、しごいたりすることで本体外面を押圧して内部の流体に圧力を掛けるものに比べて、流体への圧力の掛け方を、握る、しごくというような「おおまか」なものでなく、ポンプ部によって、より確実に細かく調節でき、一定量（好みの量）の流体を安定した状態で外部へ流出させることができる。
従って、例えば、風呂場でシャワーを浴びながらでも、シャンプー等の一定量（好みの量）の液体を気楽に使用することができる。
このように、この発明の吊下げ式定量注出パウチによれば、注出部に形成したポンプ部および自己閉鎖性流出部で、一定量の流体を安定した状態で外部へ流出させることが、簡単な構成で容易かつ確実に行える。なお、ポンプ部とした注出部の注出用空間の容量を変えることにより、流体の流出量を「好みの量」にすることができる。
なお、流入制限部としては、外周面を押圧することで内部空間の容量を可変できるように袋状にして、注出部の注出用空間内に収納していると共に、本体部の充填空間と注出部の注出用空間との境界部分に位置する袋状の低壁部分に、内部空間に入り込んだ流体が本体部の充填空間内へ逆流しないように逆止弁部を形成している弾性体で構成することが考えられる。この場合のポンプ部は、その弾性体で形成して、弾性体の外周面を押圧した時に、弾性体の内部空間に入り込んでいた流体を圧迫して注出部の流出路へ送ると共に、本体部の充填空間内の流体が弾性体の内部空間に入り込むように構成されることとなる（請求項２の発明）。
このように、注出部の注出用空間内に収納した弾性体を流入制限部として形成したポンプ部によれば、注出部の注出用空間の容量を可変する場合（請求項１の発明）に比べて、弾性体９の復元力で内部空間の容量の可変をより確実に行えて、流体をより安定した状態で注出部から外部へ流出させることができる。
一方、自己閉鎖性流出部としては、合成樹脂フィルムの周辺を溶着して袋状にする時に、注出部の注出用空間を外部へ連通させるように非溶着部として形成した流出路と、この流出路および注出用空間の境界部分に前記注出用空間側に湾曲して略弓状に形成した屈曲線に沿って折り曲げた屈曲部とで形成しており、圧力を掛けられた流体のみが、屈曲部を押しのけて流出路から外部へ流出するように構成することが考えられる（請求項３の発明）。
このように、流出路および注出用空間の境界部分を、注出用空間側に湾曲して略弓状に形成した屈曲線（図３参照）に沿って折り曲げることにより、非溶着部として形成した流出路の部分を、図４に示すように、円弧状として立体的に立ち上げることができる。
即ち、図９に示すように、流出路の部分における表面側および裏面側となる二枚の合成樹脂フィルムを確実に密着させることができ、流出路を閉鎖した状態として保持することができる。
そして、ポンプ部として作用させるべく、注出部の外面を押圧することで、図１０に示すように、円弧状が崩れて、流出路の部分における表面側および裏面側となる二枚の合成樹脂フィルムの密着が緩み、流出路が開放された状態となる。なお、注出部のポンプ部としての作用で、流出路へ送られてくる流体の圧力が高まると、流出路の部分（屈曲部の部分）における二枚の合成樹脂フィルムの密着がより強固になるが、さらに圧力が高まると密着が崩れ、流出路（屈曲部の部分）から流体が飛び出ることとなる。
このように、この発明の自己閉鎖性流出部は、注出部の外面を押圧することと、押圧を緩めることとが、流体の圧力の高まりと共に流出路の開閉につながり、流出路の開閉スイッチ機能として働くことになる。
【発明の効果】
【０００５】
この発明の吊下げ式定量注出パウチによれば、流体の充填空間を有する袋状としたパウチの本体部の下端部に一体形成した流体の注出部に、ポンプ部および自己閉鎖性流出部を形成することによって、例えば、吊下げ式定量注出パウチを本体部上端部の吊下げ用取付け部を利用して風呂場に取付け、風呂場でシャワーを浴びながら、シャンプーで頭を洗う場合やボディーソープで体を洗う場合に、シャンプーやボディーソープの液体（流体）を、注出部に形成した簡単な構成のポンプ部を、例えば、注出部を摘んで押圧して作用させるだけで、流出部の開閉スイッチ機構として作用する自己閉鎖性流出部の併用と相まって、一定量（好みの量）の液体を、注出部から確実に安定して流出させることができる。
【発明を実施するための最良の形態】
【０００６】
【実施例１】
【０００７】
図１はこの発明の吊下げ式定量注出パウチを示す概略図で、図２は図１のＡ−Ａ線概略断面図で、図３は図１におけるＢ部（この発明の吊下げ式定量注出パウチにおける注出部）の拡大図で、図４はこの発明の吊下げ式定量注出パウチにおける注出部下側の斜視図で、図５はこの発明の吊下げ式定量注出パウチにおける注出部に設けたポンプ部の操作状態を示す概略図で、図１１、図１３はこの発明の吊下げ式定量注出パウチの別形態を示す概略図である。
そして、各図において、符号１は吊下げ式定量注出パウチで、２は本体部で、３は注出部で、４は吊下げ用取付け部で、５はポンプ部で、６は自己閉鎖性流出部である。
吊下げ式定量注出パウチ１は、図１および図２に示すように、表面側および裏面側となる合成樹脂フィルムの周辺を溶着して袋状にすることで、流体の充填空間２ａを有する本体部２と、この本体部２の下端部に充填空間２ａに連通した注出用空間３ａを有する流体の注出部３とを一体形成していると共に、本体部２の上端部に吊下げ用取付け部４を形成している。
そして、注出部３には、本体部２の充填空間２ａ内の流体に圧力を掛けて外部へ送り出すポンプ部５と、圧力を掛けられた流体のみを外部へ通過させる自己閉鎖性流出部６とを形成している。
この実施形態での吊下げ式定量注出パウチ１は、その本体部２が大容量の充填空間２ａを有すると共に、その注出部３が小容量の注出用空間３ａを有するようにして、表面側および裏面側となる合成樹脂フィルムの周辺を溶着し袋状に一体形成している。
この実施形態での自己閉鎖性流出部６は、合成樹脂フィルムの周辺を溶着して袋状にする時に、注出部３の注出用空間３ａを外部へ連通させるように非溶着部として形成した流出路７と、この流出路７および注出用空間３ａの境界部分に形成した屈曲部８とで構成されている。
ここでの屈曲部８は、図３および図４に示すように、注出部３の注出用空間３ａ側に湾曲した略弓状に形成した屈曲線８ａに沿って折り曲げることで形成している。そして、この自己閉鎖性流出部６は、圧力を掛けられた流体のみが、屈曲部８を押しのけて、非溶着部の流出路７から外部へ流出するように構成されている。
この実施形態での非溶着部の流出路７は、図３および図４に示すように、屈曲部８から折れ曲げられて外周面７ａが幅方向へ湾曲した状態で反り返っており、本体部２および注出部３と流出路７とが断面略へ字状となるように連続する位置関係になっている。
この実施形態でのポンプ部５は、本体部２の充填空間２ａと注出部３の注出用空間３ａとの境界部分に流入制限部１１を設け、充填空間２ａ内の流体の、注出用空間３ａ内への流入を制限して、注出用空間３ａの容量を可変できるようにすることで形成しており、注出部３の外面を押圧した時に、注出用空間３ａに入り込んでいた流体を圧迫して流出路７へ送ると共に、本体部２の充填空間２ａ内の流体が注出用空間３ａに入り込むように構成している。
なお、この実施形態での流入制限部１１は、外周面を押圧することで内部空間９ｂの容量を可変できるように袋状にして、注出部３の注出用空間３ａ内に収納していると共に、本体部２の充填空間２ａと注出部３の注出用空間３ａとの境界部分に位置する袋状の低壁９ｄ部分に、内部空間９ｂに入り込んだ流体が本体部２の充填空間２ａ内へ逆流しないように逆止弁部１０を形成している弾性体９で構成している。
また、この実施形態でのポンプ部５は、注出部３の注出用空間３ａ内に収納した弾性体９で形成しており、パウチ１（注出部３）の外面から弾性体９の外周面を押圧した時に、弾性体９の内部空間に入り込んでいた流体を圧迫して注出部３の流出路７へ送ると共に、本体部２の充填空間２ａ内の流体が弾性体９の内部空間９ｂに入り込むように構成している。
従って、この実施形態での流入制限部１１（弾性体９）は、本体部２の充填空間２ａと注出部３の注出用空間３ａとの境界部分に位置する、袋状の低壁９ｄ部分に形成した逆止弁部１０によって、流体の流入を制限するように構成している。
この実施形態での弾性体９は、図１および図２に示すように、その内部空間９ｂの一端が、逆止弁部１０を介して本体部２の充填空間２ａに連通していると共に、その内部空間９ｂの他端が、湾曲した開口部９ｃによって非溶着部の流出路７に連通している。
この実施形態での逆止弁部１０は、図６〜図８に示すように、弾性体９の底壁９ｄに形成されている流入孔１０ａと、この流入孔１０ａを塞いで流入を阻止する位置および内部空間９ｂの内部方向へ延び流入孔１０ａを開放して流入を可能にする位置の間を揺動する板状の弁体１０ｂとで構成している。
このような構成からなるこの発明の吊下げ式定量注出パウチ１を、例えば、本体部２上端部の吊下げ用取付け部４を利用して風呂場に取付け、風呂場でシャワーを浴びながら、シャンプーで頭を洗う場合やボディーソープで体を洗う場合に、シャンプーやボディーソープの液体は、図５に示すように、パウチ１（本体部２）における下端部の注出部３の外面を軽く摘んで押圧して、弾性体９の外周面９ａを押圧する。即ち、ポンプ部５として、注出用空間３ａ内に収納した弾性体９の外周面９ａを押圧する。
そして、この弾性体９の外周面９ａを押圧した時に、内部空間９ａの容量だけ、充填空間２ａ内の「一定量」の流体（内部空間９ａ内に入り込んだ流体）に圧力の掛けることができる。即ち、止まるところまで押すという押し方を一定にすることにより、弾性体９の「内部空間９ａの押された容量分」という「一定量」の流体を注出部３（非溶着部の流出路７）から外部へ流出させることができる。
このように流体を圧迫して、流出路７へ送った後に、図２に示すように、外周面９ａの押圧を緩めた時には、弾性体９の復元力によって内部空間９ｂの容積が増し、同時に自己閉鎖性流出部６が閉鎖（流出路７が密着）して（図９参照）、本体部２の充填空間２ａ内の流体を弾性体９の内部空間９ｂに吸い込むこととなる。
なお、この弾性体９の操作時における自己閉鎖性流出部６は、弾性体９の外周面９ａ（注出部３の外面）を押圧する前には、図９に示すように、表面側および裏面側の合成樹脂フィルムが密着して円弧状になっており、流出路７は密着して閉鎖している。
そして、弾性体９の外周面９ａ（注出部３の外面）を押圧した時には、図１０に示すように、円弧状が崩れて、流出路７の密着する力が緩むと共に、流出路７へ送られてきた流体の圧力の高まりも加わることにより、流出路７が開放されることになる。
このように、この発明の吊下げ式定量注出パウチ１によれば、流体の充填空間２ａを有する袋状とした本体部２の下端部に一体形成した流体の注出部３に形成したポンプ部５および自己閉鎖性流出部６によって、例えば、吊下げ式定量注出パウチ１を本体部２上端部の吊下げ用取付け部４を利用して風呂場に取付け、風呂場でシャワーを浴びながら、シャンプーで頭を洗う場合やボディーソープで体を洗う場合に、簡単な構成の吊下げ式定量注出パウチ１における注出部３の外面を摘んで押圧する（この「実施例１」の形態においては弾性体９の外周面を押圧する）だけで、シャンプーやボディーソープの液体（流体）の一定量（好みの量）を、容易かつ確実に安定して、注出部３から流出させることができる。
【実施例２】
【０００８】
図１１は、この発明の吊下げ式定量注出パウチ１の別形態を示すものである。ここでの吊下げ式定量注出パウチ１は、充填空間２ａと注出用空間３ａとの境界部分に、ポンプ部５を形成すべく設ける流入制限部１１（「実施例１」での弾性体９）が別形態となっている。
この実施形態での流入制限部１１は、図１１に示すように、充填空間２ａ側および注出用空間３ａ側が凹状に湾曲している基部１１ａと、この基部１１ａに形成されている流入孔１１ｂと、この流入孔１１ｂを塞ぐ位置および流入孔１１ｂを開放する位置の間を移動できるように設けられているボール状の逆止弁１１ｃとを備えており、逆止弁１１ｃの移動によって流体の流入を制限するように構成している。
そして、この実施形態でのポンプ部５は、流入制限部１１により、注出部３の注出用空間３ａ内の流体が本体部２の充填空間２ａ内へ逆流しないようにして、流入制限部１１と流出路７との間の注出部３の注出用空間３ａの容量を可変させることで、注出部３の注出用空間３ａに入り込んでいた流体を圧迫し屈曲部８を押しのけさせて流出路７から外部へ流出させると共に、本体部２の充填空間２ａ内の流体が重力により注出部３の注出用空間３ａ内に入り込むように構成している。
即ち、この実施形態のポンプ部５は、本体部２の充填空間２ａと注出部３の注出用空間３ａとの境界部分に流入制限部１１を設け、充填空間２ａ内の流体の、注出用空間３ａ内への流入を制限して、前記注出用空間３ａの容量を可変できるようにすることで形成しており、注出部３の外面を押圧した時に、注出用空間３ａに入り込んでいた流体を圧迫して流出路７へ送ると共に、本体部２の充填空間２ａ内の流体が注出用空間３ａに入り込むように構成している。
なお、この流入制限部１１の流入孔１１ｂおよびボール状の逆止弁１１ｃからなる構成は、前述した弾性体９の逆止弁部１０として用いることもできる。
また、図１２に示されている２個の円弧に囲まれている形態は、２枚のフィルムによって構成されている注出用空間３ａを立体的な空間にしている。即ち、２枚のフィルムの間に流入制限部１１が挟まれていることで、フィルム同士が密着せずに、２枚のフィルムによって構成されている注出用空間３ａが内容積を十分に確保した立体的なものとなる。
さらに、この実施例のように、前述した実施例１のポンプ部５の容積を変化させる弾性部分（注出用空間３ａ）は、粘性の少ない流体の場合、なくてもよい。このことは、定量注出パウチ１が使い捨てのものであることから、プラスチック部分の少ないものが求められているのに対して、最適なパウチとなる。ただし、粘性の高い（ドロドロした）流体を本体部２の充填空間２ａから注出部３の注出用空間３ａ内に吸い込むのには、前述した実施例１のポンプ部５のように、弾性体９の元に戻る力が有効となる。
【実施例３】
【０００９】
図１３〜図１５は、この発明の吊下げ式定量注出パウチ１の別形態を示すものである。ここでの吊下げ式定量注出パウチ１は、注出部３にポンプ部５を形成するための流入制限部１１が別形態となっている。
この実施形態での流入制限部１１は、注出用空間３ａ側が凸状に湾曲していると共に、充填空間２ａ側が凹状に湾曲している基部１１ａと、この基部１１ａの側面に形成されている流入用溝１１ｄと、この流入用溝１１ｄおよび注出部３を形成している合成樹脂フィルムで形成される流入孔１１ｅとからなり、この流入孔１１ｅで流体の流入を制限するものである。
この実施形態でのポンプ部５は、図１４に示すように、注出部３の外面を押圧すると、流入孔１１ｅを塞ぐこととなり、注出用空間３ａ内に入り込んでいた流体が本体部２の充填空間２ａ内へ逆流しないようになって、注出用空間３ａ内の流体に圧力をかけることができると共に、注出部３の外面の押圧を緩めると、流入孔１１ｅが開いて、本体部２の充填空間２ａ内の流体が、重力によって、注出用空間３ａ内に入り込むようにすることで構成している。
従って、注出部３の外面を押圧した時に、注出用空間３ａに入り込んでいた流体は、本体部２の充填空間２ａに逆流することなく、自己閉鎖性流出部６の流出路７へ送られる。
なお、流入制限部１１としては、図１６に示すように、小径の流入孔１１ｆのみを形成したものも考えられる。
この図１６に示した流入制限部１１の場合は、注出部３の外面を強く押圧した時に、小径の流入孔１１ｆが流れの抵抗になり、注出部３の注出用空間３ａ内の流体に圧力がかかる。また、注出部３の外面の押圧を緩めると、本体部２の充填空間２ａ内の流体が、小径の流入孔１１ｆから、ゆっくりと注出部３の注出用空間３ａ内に入り込む。この時、ゆっくりと入り込むために、小径の流入孔１１ｆの流れの抵抗は少ない。
【図面の簡単な説明】
【００１０】
【図１】この発明の吊下げ式定量注出パウチを示す概略図である。
【図２】図１のＡ−Ａ線概略断面図である。
【図３】図１のＢ部拡大図である。
【図４】この発明の吊下げ式定量注出パウチにおける注出部下側の概略斜視図である。
【図５】この発明の吊下げ式定量注出パウチの注出部に設けたポンプ部の操作状態を示す概略図である。
【図６】この発明の吊下げ式定量注出パウチの注出部にポンプ部として設ける弾性体の概略図である。
【図７】図６のＤ−Ｄ線概略断面図である。
【図８】図６のＥ−Ｅ線概略断面図である。
【図９】吊下げ式定量注出パウチにおける注出部の押圧を緩めた時の図４のＣ−Ｃ線拡大矢視図である。
【図１０】吊下げ式定量注出パウチにおける注出部を押圧した時の図４のＣ−Ｃ線拡大矢視図である。
【図１１】この発明の吊下げ式定量注出パウチの別形態を示す概略図である。
【図１２】図１１のＦ−Ｆ線概略拡大矢視図である。
【図１３】この発明の吊下げ式定量注出パウチの別形態を示す概略図である。
【図１４】図１１のＧ−Ｇ線概略拡大矢視図である。
【図１５】図１１のＨ−Ｈ線概略拡大矢視図である。
【図１６】この発明の吊下げ式定量注出パウチの別形態を示す概略図である。
【符号の説明】
【００１１】
１      吊下げ式定量注出パウチ
２      本体部
２ａ    充填空間
３      注出部
３ａ    注出用空間
４      吊下げ用取付け部
５      ポンプ機能
６      自己閉鎖性流出機能
７      流出路
８      屈曲部
８ａ    屈曲線
９      弾性体
９ａ    外周面
９ｂ    内部空間
９ｃ    開口部
１０    逆止弁部
１０ａ  流入孔
１０ｂ  弁体
１１    流入制限部
１１ａ  基部
１１ｂ  流入孔
１１ｃ  逆止弁
１１ｄ  流入用溝
１１ｅ  流入孔
１１ｆ  流入孔
【図１】
2006056588.tif 000003
【図２】
2006056588.tif 000004
【図３】
2006056588.tif 000005
【図４】
2006056588.tif 000006
【図５】
2006056588.tif 000007
【図６】
2006056588.tif 000008
【図７】
2006056588.tif 000009
【図８】
2006056588.tif 000010
【図９】
2006056588.tif 000011
【図１０】
2006056588.tif 000012
【図１１】
2006056588.tif 000013
【図１２】
2006056588.tif 000014
【図１３】
2006056588.tif 000015
【図１４】
2006056588.tif 000016
【図１５】
2006056588.tif 000017
【図１６】
2006056588.tif 000018